(57)【要約】【課題】電子マネー機能を備えた電子機器において、電子マネーの残高金額を他人に知られることなく容易にユーザに視認させることを可能にする。【解決手段】電子機器（携帯端末装置１で例示）に、画像を表示するための表示部１５と、表示部１５を制御する表示制御部１６と、携帯端末装置１の全体を制御する主制御部１４とを備える。主制御部１４は、電子マネー管理部１３から得られた電子マネー情報が示す現在の残高金額を、テーブル管理部２０に管理されたテーブルを参照して、対応付けた図形画像として表示部１５に表示するよう、表示制御部１６を制御する。【選択図】図１
2007172576.tif 000002
【特許請求の範囲】
【請求項１】
電子マネー機能を搭載した電子機器において、電子マネー情報が示す現在の残高金額を、対応付けた図形の画像で表示するように出力する図形表示手段を備えたことを特徴とする電子機器。
【請求項２】
前記図形表示手段は、当該電子機器に具備された画像表示装置、又は当該電子機器に接続された画像表示装置に対し、前記図形の画像を表示するように出力する手段であることを特徴とする請求項１に記載の電子機器。
【請求項３】
前記画像表示装置は、背景画像を表示する手段を有し、前記図形表示手段は、前記現在の残高金額に対応する図形の画像を、前記画像表示装置における背景画像として表示するよう出力する手段を有することを特徴とする請求項２に記載の電子機器。
【請求項４】
残高金額と図形の画像とを対応付けて格納するテーブルを備え、前記図形表示手段は、前記テーブルを参照することで、前記現在の残高金額を、対応する図形の画像で表示するように出力することを特徴とする請求項１乃至３のいずれか１項に記載の電子機器。
【請求項５】
前記テーブルをユーザ操作に基づき編集するテーブル編集手段を備えたことを特徴とする請求項４に記載の電子機器。
【請求項６】
ユーザ操作に応じて前記参照するテーブルを切り換える操作対応の切換手段を備えたことを特徴とする請求項４又は５に記載の電子機器。
【請求項７】
当該電子機器は可動部をもつ携帯端末装置であり、該可動部の可動状態に応じて、前記参照するテーブルを切り換える可動部対応の切換手段を備えたことを特徴とする請求項４乃至６のいずれか１項に記載の電子機器。
【請求項８】
傾きセンサと、該傾きセンサで検出された当該電子機器の傾き情報に応じて、前記参照するテーブルを切り換える傾き対応の切換手段とを備えたことを特徴とする請求項４乃至７のいずれか１項に記載の電子機器。
【請求項９】
位置情報に応じて前記テーブルを変更する位置対応の変更手段を備えたことを特徴とする請求項４乃至８のいずれか１項に記載の電子機器。
【請求項１０】
日時情報に応じて前記テーブルを変更する日時対応の変更手段を備えたことを特徴とする請求項４乃至９のいずれか１項に記載の電子機器。
【請求項１１】
前記電子マネー機能をロックするロック手段と、前記ロック手段でのロックが実行された場合、前記図形表示手段で表示される図形の画像の位置にロックが実行されていることを示す図形の画像を表示するよう出力するロック表示手段とを備えたことを特徴とする請求項１乃至１０のいずれか１項に記載の電子機器。
【請求項１２】
前記図形表示手段は、前記現在の残高金額に変更が生じたときに一定時間のみ図形の画像の表示出力を実行することを特徴とする請求項１乃至１１のいずれか１項に記載の電子機器。
【請求項１３】
前記図形表示手段は、前記現在の残高金額に変更が生じた後、所定の操作をユーザが実行したときに、図形の画像の表示出力を実行することを特徴とする請求項１乃至１２のいずれか１項に記載の電子機器。
【請求項１４】
前記図形表示手段は、前記現在の残高金額に変更が生じた後、一定時間内に前記所定の操作をユーザが実行したときに限り、図形の画像の表示出力を実行することを特徴とする請求項１３に記載の電子機器。
【請求項１５】
前記図形表示手段は、前記図形の画像の表示出力を一定時間だけ実行することを特徴とする請求項１３又は１４に記載の電子機器。
【請求項１６】
当該電子機器は可動部をもつ携帯端末装置であり、前記所定の操作は前記可動部を可動させる操作であることを特徴とする請求項１３乃至１５のいずれか１項に記載の電子機器。
【請求項１７】
当該電子機器はクラムシェル型の携帯端末装置であり、前記所定の操作はクラムシェルの開閉操作であることを特徴とする請求項１６に記載の電子機器。
【請求項１８】
当該電子機器は、複数の電子マネー情報を保持し、前記図形表示手段は、前記現在の残高金額として、前記複数の電子マネー情報に対する残高金額の合計を、対応した図形の画像で表示するように出力する手段を有することを特徴とする請求項１乃至１７のいずれか１項に記載の電子機器。
【請求項１９】
当該電子機器は、複数の電子マネー情報を保持し、前記図形表示手段は、前記現在の残高金額として、前記複数の電子マネー情報が示す個々の現在の残高金額を、それぞれに対応した図形の画像で表示するように出力する手段を有することを特徴とする請求項１乃至１８のいずれか１項に記載の電子機器。
【請求項２０】
前記図形表示手段は、前記現在の残高金額として、使用直後の電子マネー情報が示す現在の残高金額のみを、対応付けた図形の画像で表示するように切り換えて出力する手段を有することを特徴とする請求項１８又は１９に記載の電子機器。
【請求項２１】
当該電子機器は、複数の電子マネー情報を保持し、前記テーブルは前記電子マネー情報毎に備え、前記図形表示手段は、前記現在の残高金額として、前記複数の電子マネー情報が示す個々の現在の残高金額を、個々の電子マネー情報に対応する前記テーブルを参照することで、対応した図形の画像で表示するように出力する手段を有することを特徴とする請求項４乃至１０のいずれか１項に記載の電子機器。
【請求項２２】
前記図形は絵文字であることを特徴とする請求項１乃至２１のいずれか１項に記載の電子機器。
【請求項２３】
前記図形は、１又は複数個の図形で表され、残高金額に応じて前記図形の個数及び／又は色を変化させたものであることを特徴とする請求項１乃至２２のいずれか１項に記載の電子機器。
【請求項２４】
請求項１乃至２３のいずれか１項に記載の電子機器に組み込み、各手段として、前記電子機器の演算処理装置を機能させるためのプログラム。
【発明の詳細な説明】
【技術分野】
【０００１】
本発明は、電子機器及びプログラムに関し、より詳細には、電子マネー機能を備えた電子機器、及びその電子機器に組み込むためのプログラムに関する。
【背景技術】
【０００２】
現在、電子マネー機能が搭載された携帯端末装置が普及している。それら携帯端末装置で残高を確認する方法としては、メニューから電子マネー残高確認アプリケーションを立ち上げて液晶画面に残高金額を表示させる方法がある。
【０００３】
また、特許文献１には、電子マネーカードの残高を読み取ってユーザに知らせることの可能な電子マネーカードの残高表示方法及び装置が開示されている。特許文献１に記載の電子マネーカードの残高表示装置は、装置本体と、装置本体に設けられ電子マネーカードを挿入するカード挿入部と、電子マネーカードの残高を各種媒体で表示する残高表示手段と、装置本体に加えられる振動を検出する振動感知手段と、振動感知手段により振動を感知すると電子マネーカードの残高を検出し当該検出残高に応じて残高表示手段を作動させる制御手段とを備え、装置本体に電子マネーカードをセットし、装置本体に振動を加えると、この振動を振動感知手段が検出し、この検出信号に基づいて電子マネーカードの残高表示装置が起動して残高表示手段が電子マネーカードの残高に対応する態様で動作することにより残高表示を行なう。
【特許文献１】特開平１１−２５９６１１号公報
【発明の開示】
【発明が解決しようとする課題】
【０００４】
しかしながら、上述のごとき携帯端末装置をはじめとする電子マネー機能が搭載された従来の電子機器は、電子マネーの残高金額を確認する際に手間がかかる。一方、電子機器に電子マネー残高金額自体を画面表示すると、周囲の人に残高金額を知られる可能性があり、プライバシー上問題が生ずるだけでなく、犯罪も誘発しかねない。
【０００５】
このように、電子マネー機能を備えた電子機器では、ユーザは自分の電子機器に電子マネーがどれぐらい残っているのかを容易に知りたい反面、電子マネーの残高金額はプライバシーに関わる情報であるため周囲の人には知られたくないという要求がある。
【０００６】
このような電子機器として、特許文献１に記載の装置を適用したとしても、残高が５０００〜１００００円のときはＬＥＤが赤色で発光するという金額と表示方法の対応付けを覚えておかないといけない。
【０００７】
本発明は、上述のごとき実情に鑑みてなされたものであり、電子マネーの残高金額を他人に知られることなく容易に視認させることが可能な電子機器、及びその電子機器に組み込むためのプログラムを提供することをその目的とする。
【課題を解決するための手段】
【０００８】
上述の課題を解決するために、本発明の第１の技術手段は、電子マネー機能を搭載した電子機器において、電子マネー情報が示す現在の残高金額を、対応付けた図形の画像で表示するように出力する図形表示手段を備えたことを特徴としたものである。
【０００９】
第２の技術手段は、第１の技術手段において、前記図形表示手段は、当該電子機器に具備された画像表示装置、又は当該電子機器に接続された画像表示装置に対し、前記図形の画像を表示するように出力する手段であることを特徴としたものである。
【００１０】
第３の技術手段は、第２の技術手段において、前記画像表示装置は、背景画像を表示する手段を有し、前記図形表示手段は、前記現在の残高金額に対応する図形の画像を、前記画像表示装置における背景画像として表示するよう出力する手段を有することを特徴としたものである。
【００１１】
第４の技術手段は、第１乃至第３のいずれかの技術手段において、残高金額と図形の画像とを対応付けて格納するテーブルを備え、前記図形表示手段は、前記テーブルを参照することで、前記現在の残高金額を、対応する図形の画像で表示するように出力することを特徴としたものである。
【００１２】
第５の技術手段は、第４の技術手段において、前記テーブルをユーザ操作に基づき編集するテーブル編集手段を備えたことを特徴としたものである。
【００１３】
第６の技術手段は、第４又は第５の技術手段において、ユーザ操作に応じて前記参照するテーブルを切り換える操作対応の切換手段を備えたことを特徴としたものである。
【００１４】
第７の技術手段は、第４乃至第６のいずれかの技術手段において、当該電子機器は可動部をもつ携帯端末装置であり、該可動部の可動状態に応じて、前記参照するテーブルを切り換える可動部対応の切換手段を備えたことを特徴としたものである。
【００１５】
第８の技術手段は、第４乃至第７のいずれかの技術手段において、傾きセンサと、該傾きセンサで検出された当該電子機器の傾き情報に応じて、前記参照するテーブルを切り換える傾き対応の切換手段とを備えたことを特徴としたものである。
【００１６】
第９の技術手段は、第４乃至第８のいずれかの技術手段において、位置情報に応じて前記テーブルを変更する位置対応の変更手段を備えたことを特徴としたものである。
【００１７】
第１０の技術手段は、第４乃至第９のいずれかの技術手段において、日時情報に応じて前記テーブルを変更する日時対応の変更手段を備えたことを特徴としたものである。
【００１８】
第１１の技術手段は、第１乃至第１０のいずれかの技術手段において、前記電子マネー機能をロックするロック手段と、前記ロック手段でのロックが実行された場合、前記図形表示手段で表示される図形の画像の位置にロックが実行されていることを示す図形の画像を表示するよう出力するロック表示手段とを備えたことを特徴としたものである。
【００１９】
第１２の技術手段は、第１乃至第１１のいずれかの技術手段において、前記図形表示手段は、前記現在の残高金額に変更が生じたときに一定時間のみ図形の画像の表示出力を実行することを特徴としたものである。
【００２０】
第１３の技術手段は、第１乃至第１２のいずれかの技術手段において、前記図形表示手段は、前記現在の残高金額に変更が生じた後、所定の操作をユーザが実行したときに、図形の画像の表示出力を実行することを特徴としたものである。
【００２１】
第１４の技術手段は、第１３の技術手段において、前記図形表示手段は、前記現在の残高金額に変更が生じた後、一定時間内に前記所定の操作をユーザが実行したときに限り、図形の画像の表示出力を実行することを特徴としたものである。
【００２２】
第１５の技術手段は、第１３又は第１４の技術手段において、前記図形表示手段は、前記図形の画像の表示出力を一定時間だけ実行することを特徴としたものである。
【００２３】
第１６の技術手段は、第１３乃至第１５のいずれかの技術手段において、当該電子機器は可動部をもつ携帯端末装置であり、前記所定の操作は前記可動部を可動させる操作であることを特徴としたものである。
【００２４】
第１７の技術手段は、第１６の技術手段において、当該電子機器はクラムシェル型の携帯端末装置であり、前記所定の操作はクラムシェルの開閉操作であることを特徴としたものである。
【００２５】
第１８の技術手段は、第１乃至第１７のいずれかの技術手段において、当該電子機器は、複数の電子マネー情報を保持し、前記図形表示手段は、前記現在の残高金額として、前記複数の電子マネー情報に対する残高金額の合計を、対応した図形の画像で表示するように出力する手段を有することを特徴としたものである。
【００２６】
第１９の技術手段は、第１乃至第１８のいずれかの技術手段において、当該電子機器は、複数の電子マネー情報を保持し、前記図形表示手段は、前記現在の残高金額として、前記複数の電子マネー情報が示す個々の現在の残高金額を、それぞれに対応した図形の画像で表示するように出力する手段を有することを特徴としたものである。
【００２７】
第２０の技術手段は、第１８又は第１９の技術手段において、前記図形表示手段は、前記現在の残高金額として、使用直後の電子マネー情報が示す現在の残高金額のみを、対応付けた図形の画像で表示するように切り換えて出力する手段を有することを特徴としたものである。
【００２８】
第２１の技術手段は、第４乃至第１０のいずれかの技術手段において、当該電子機器は、複数の電子マネー情報を保持し、前記テーブルは前記電子マネー情報毎に備え、前記図形表示手段は、前記現在の残高金額として、前記複数の電子マネー情報が示す個々の現在の残高金額を、個々の電子マネー情報に対応する前記テーブルを参照することで、対応した図形の画像で表示するように出力する手段を有することを特徴としたものである。
【００２９】
第２２の技術手段は、第１乃至第２１のいずれかの技術手段において、前記図形は絵文字であることを特徴としたものである。
【００３０】
第２３の技術手段は、第１乃至第２２のいずれかの技術手段において、前記図形は、１又は複数個の図形で表され、残高金額に応じて前記図形の個数及び／又は色を変化させたものであることを特徴としたものである。
【００３１】
第２４の技術手段は、第１乃至第２３のいずれかの技術手段における電子機器に組み込み、各手段として、前記電子機器の演算処理装置を機能させるためのプログラムである。
【発明の効果】
【００３２】
本発明によれば、電子マネーの残高金額を他人に知られることなく容易に視認させることが可能となる。
【発明を実施するための最良の形態】
【００３３】
本発明に係る電子機器は、電子マネー機能を搭載し、主たる特徴として次の図形表示手段を備えるものとする。この図形表示手段とは、電子マネー情報が示す現在の残高金額を、対応付けた図形の画像で表示するように出力する手段である。電子マネー残高表示に際し、電子マネーの現在の残高金額を対応付けた図形画像で表示することで、電子マネーの残高金額を他人に知られることなく、また対応付けをユーザが記憶しなくても金額に意味付けられた図形画像を表示することで使用者にとって分かり易く視認させることが可能となる。
【００３４】
以下、本発明に係る電子機器として、携帯電話やＰＤＡ（情報携帯端末）等の携帯端末装置を例示して説明するが、本発明は、電子マネー機能が具備されていれば如何なる電子機器であっても適用可能である。また、上述の図形表示手段は、電子機器に具備された画像表示装置、或いは電子機器に接続された画像表示装置に対し、図形画像を表示するように出力する手段とする。このように、本発明に係る電子機器は、画像表示装置が内蔵又は外部接続（一時的な接続も含む）され、その画像表示装置に現在の残高金額を対応付けた図形画像を表示する。
【００３５】
（実施形態１）
図１は、本発明の一実施形態に係る携帯端末装置の一構成例を示すブロック図、図２は、図１の携帯端末装置のテーブル管理部に格納された残高金額と図形画像が対応付けられたテーブルの一例を示す図、図３は、図１の携帯端末装置における電子マネー残高金額の表示処理例を説明するためのフロー図、図４は、図１の携帯端末装置に図２のテーブルを用いて電子マネー残高金額を表示した例を示す図である。
【００３６】
図１、図２、及び図４において、１は電子機器の一例としての携帯端末装置、２はテーブル、１１は通信部、１２は電子マネーリーダーライターを有する電子マネーリーダーライター部、１３は電子マネー管理部、１４は主制御部、１５は表示部、１６は表示制御部、１７は操作部、１８はタイマ、１９は筐体開閉検知部、２０はテーブル管理部、３０は表示画面、３１はバッテリ残量表示画像、３２は電波強度表示画像、３３は時刻情報表示画像、３４は電子マネー残高金額表示画像である。
【００３７】
図１で例示する携帯端末装置１は、携帯端末装置全体の制御を行う主制御部１４と、電話や電子メールやインターネットアクセス等における通信を行う通信部１１と、ＰＯＳ端末のような外部端末と電子マネー（電子マネー情報）の受け渡しを行う電子マネーリーダーライター部１２と、電子マネーの残高等を管理する電子マネー管理部１３と、操作時の各種状態や残高情報などを表示する表示部１５と、主制御部１４からの信号に基づき表示部１５を制御する表示制御部１６と、時間を計時するタイマ１８と、筺体が開状態にあるのか閉状態にあるのかを検知する筺体開閉検知部１９と、残高金額と表示する図形画像とを対応付けたテーブルを管理するテーブル管理部２０と、テーブル情報などを入力することができる操作部１７とから構成されている。
【００３８】
ここで、電子マネー情報とは、貨幣価値を電子データとして表したもので、電子マネー機能を備える携帯端末装置間で直接、或いは電子マネー管理サーバ等を介して送受される。携帯端末装置間での通信は通信部１１やＢｌｕｅｔｏｏｔｈや赤外線通信などを適用した他の通信部などで行われ、電子マネー管理サーバとの通信は通信部１１を介して行われる。
【００３９】
電子マネー管理部１３では、現在の残高金額が記憶されているだけでなく、例えば、取引日時、取引金額、送金／受取の種別、取引の形態、相手端末固有のＩＤなどの電子マネー情報の取引履歴も記憶してもよい。電子マネーリーダーライター部１２及び電子マネー管理部１３は、メモリ回路や高周波回路などを内蔵する非接触型ＩＣチップなどで構成される。
【００４０】
表示部１５は、電子マネー情報の取引履歴画面などを表示するＬＣＤなどから構成され、表示ドライバ等でなる表示制御部１６により駆動制御される。ここで、表示部１５及び表示制御部１６は上述した画像表示装置の一例であり、この例では、現在の残高金額を図形画像は、主制御部１４から伝送された図形画像データを表す信号及びその表示命令に基づき、表示制御部１６を介して表示部１５にて表示されることとなる。
【００４１】
主制御部１４には、携帯端末装置１を制御するための制御プログラム等が格納されたＲＯＭ等の不揮発性メモリが内蔵又は接続されている。そして、その制御プログラムは主制御部１４に内蔵されたＣＰＵ等の演算処理装置によって、作業領域であるＲＡＭ等の揮発性メモリに読み出されて実行される。この揮発性メモリも、主制御部１４に内蔵又は接続されてなる。
【００４２】
主制御部１４に組み込まれる制御プログラムは、上述の図形表示手段や後述のテーブル編集手段や変更手段や切換手段などの各手段として、携帯端末装置等の電子機器の演算処理装置を機能させるためのプログラムであり、このプログラムを実行することで主制御部１４は表示制御部１６に対して表示部１５に図形画像を表示させる。すなわち、このプログラムは、各手段として、電子機器の演算処理装置を機能させるためのプログラムである。なお、このような制御プログラムは後述の実施形態においても組み込まれる。そして、本発明はこのような電子機器に組み込むためのプログラムとしての形態も採用できる。また、このようなプログラムはネットワークを介して或いは記録媒体に格納されて流通できる。
【００４３】
このように、上述の図形表示手段は、通常、主制御部１４内にプログラムとして実行可能に組み込まれ、表示対象の図形画像を読み出し、その図形画像を表示する信号を表示制御部１６に対して出力する。実際、主制御部１４では、図形画像を格納する書き換え可能ＲＯＭ等から表示対象の図形画像が読み出され、図形画像データを表す信号として表示制御部１６へ出力する。
【００４４】
操作部１７は、各種設定を行うための複数の数字キーや操作キーなどから構成される。ユーザ操作は、操作部１７を用い、表示部１５に操作内容を表示するなどして実行される。操作部１７は、その他、個人間取引の場合などに携帯端末装置間で送受する電子マネー情報の金額が入力される。
【００４５】
上述のごとき構成により、携帯端末装置１においては、主制御部１４が、電子マネー管理部１３から得られた電子マネー情報が示す現在の残高金額を、テーブル管理部２０に管理されたテーブルを参照して、対応付けた図形画像として表示部１５に表示するよう、表示制御部１６を制御する。そして、表示制御部１６は、電子マネー管理部１３から得られた電子マネー情報が示す現在の残高金額を、テーブルにて対応付けられた図形画像として表示部１５に表示するよう制御する。
【００４６】
このテーブルとして、テーブル管理部２０には、図２で例示したような残高金額と図形画像が対応付けられたテーブル２が保持されている。例示したテーブル２は、会社から家に帰るときの交通機関と運賃が対応付けられたテーブルであり、会社から家までタクシーで帰るには２５００円、電車で帰るには３６０円かかることを示している。
【００４７】
テーブル２では、現在の残高がタクシーで帰ることができるだけ残っているときにはタクシーの絵文字（又は絵文字のアイコン）を、電車で帰ることができるだけ残っているときには電車の絵文字（又は絵文字のアイコン）を、電車で買えるだけの残高がないときには人の絵文字（又は絵文字のアイコン）を、表示部１５に表示するように対応付けられている。このような、残高金額と図形画像が対応付けられたテーブルを持つことで、残高金額に対応した図形画像を容易に表示させることができる。テーブル２において、残高金額とその残高に意味合いを持たせる図形（例えば、３６０円を電車の絵文字（ピクトグラム））の画像とを関連付けておくことで、使用者は直感的に理解できるようにすることができる。なお、テーブル編集手段として後述するが、ここでの電車賃やタクシー代の情報も操作部１７によりユーザ設定可能としておくとよい。
【００４８】
次に、携帯端末装置１の動作の一例を、図３及び図４を参照して説明する。まず、電子マネー管理部１３で残高に変化があったかを検知する（ステップＳ１）。具体的には電子マネーリーダーライター部１２が店にあるレジ端末と支払い処理を行ったときや、通信部１１からインターネットに接続して電子マネーを受け取ったりしたときのことである。
【００４９】
残高に変化があったとき（ステップＳ１でＹＥＳ）、電子マネー管理部１３はタイマ１８に計時を開始させる信号を出力する（ステップＳ２）。そして、残高が変化してから一定時間経過したか否かを判定する（ステップＳ３）。
【００５０】
これは、レジなどで支払いを終えたあとに携帯端末装置１を開いて残高を確認するときには表示してほしいが、携帯端末装置１を開くたびに表示されるのは煩わしいので、支払いが終わってから一定時間以内に携帯端末装置１を開いたときには残高情報を表示するが、それ以上経過してからでは表示させないようにするためである。また、開いたときだけではなく、支払いが終わってから一定時間以内に携帯端末装置１を閉じたときに、後述するサブ画面に残高情報を図形画像表示するようにしてもよい。
【００５１】
この例では、携帯端末装置１がクラムシェル型であることを想定して、携帯端末装置１におけるヒンジ部の開閉操作を挙げて説明しているが、上述の図形表示手段は、現在の残高金額に変更が生じた後、一定時間内に所定の操作をユーザが実行したときに限り、図形の表示出力を実行するようにしてもよい。所定の操作としては、携帯端末装置１がスライド型である場合にはスライド部、フリップ型である場合にはカバーと本体とのヒンジ部、リボルバー型又はスイーベル型である場合には回転部といった、携帯端末装置１の可動部を可動させる操作が適用できる。また、ここでは時間だけで表示を制御しているが、開閉回数もカウントして一定時間以内でも２回目以降は表示させないとしてもよい。
【００５２】
ステップＳ３の判定により、残高が変化してから一定時間経過していない場合、すなわち一定時間以内に（ステップＳ３でＮＯ）、筺体開閉検知部１９より携帯端末装置１が開いたことが検知されたら（ステップＳ４でＹＥＳ）、電子マネー管理部１３は電子マネーの残高を確認し、主制御部１４を介して、テーブル管理部２０に残高情報を渡す（ステップＳ５）。
【００５３】
次に、テーブル管理部２０では、残高情報をテーブルに照合し（ステップＳ６）、それに対応する図形情報を主制御部１４に渡し、主制御部１４が表示制御部１６を介して表示部１５でその図形画像を表示する（ステップＳ７）。ステップＳ７では、例えば、図４で例示する携帯端末装置１の表示画面３０（メイン画面が好ましい）上に、バッテリ残量表示画像３１、電波強度表示画像３２、及び時刻情報表示画像３３などと同様に、電子マネー残高金額表示画像３４をピクト表示するとよい。
【００５４】
ステップＳ７で表示を開始したとき、タイマ１８をリセットし計時を開始させる（ステップＳ８）。図形画像を表示してから一定時間後になったら（ステップＳ９でＹＥＳ）、図形画像の表示を停止させる（ステップＳ１０）。このように、上述の図形表示手段は、図形画像の表示出力を開始してから一定時間だけ実行するようにすることが好ましい。なお、ステップＳ９での一定時間とステップＳ３での一定時間は同じとしてもよいが、ステップＳ９の方が短く設定しておくことが好ましい。
【００５５】
また、図形画像表示に関する他の形態として、上述の図形表示手段は、現在の残高金額に変更が生じた後、所定の操作をユーザが実行したときには、いつでも図形画像の表示出力を実行するよう構成してもよい。また、別の形態として、図形画像表示は、現在の残高金額に変更が生じた時点で、一定時間のみ実行するよう構成してもよい。
【００５６】
図５は、図４の電子マネー残高金額の表示位置に電子マネーがロックされていることを示した例を示す図で、図中、３５は電子マネーロック表示画像である。携帯端末装置１は、落としたとき電子マネーを使用されないように、電子マネー機能にロックをかけるロック手段を有するものもある。このロック手段は、通常、主制御部１４内にプログラムとして実行可能に組み込まれ、電子マネー管理部１３へのアクセスを禁じるなどしてロックをかける。そのような形態にあっては、図５に示す電子マネーロック表示画像３５のように、電子マネー機能にロックがかけられていることを、電子マネー残高金額の表示位置に、図形画像表示でユーザに視認させる。
【００５７】
図５のように、図４の電子マネー残高表示画像３４があった位置に電子マネー機能がロックされていることを示す電子マネーロック表示画像３５を示すことにより、使用者に電子マネー機能がロックされていることを容易に認識させることができる。図５では表示画像を差し替える例を示したが、ロックされているときは、図４の電子マネー残高表示画像３４の色を変えたりして使用者に認識させてもよい。
【００５８】
図６は、図１の携帯端末装置のテーブル管理部に格納された残高金額と図形画像が対応付けられたテーブルの他の例を示す図、図７は、図１の携帯端末装置に図６のテーブルを用いて電子マネー残高金額を表示した例を示す図、図８乃至図１０は、それぞれ、図１の携帯端末装置に図６のテーブルを用いて電子マネー残高金額を表示した他の例を示す図である。図６乃至図１０において、３６はテーブル、３７，３７ａ，３７ｂは電子マネー残高金額表示画像、４０はサブ画面、４１は外側操作キー、４１ａは右キー、４１ｂは左キーである。
【００５９】
図２及び図４の例では、表示させる図形画像として、残金を表すために暗喩的な絵文字を用いたが、直喩的な図形の画像を用いてもよい。図６で例示するテーブル３６では、そのような図形としてバー表示の図形を用いている。テーブル３６では、１又は複数本で表されるバーの図形を用いており、その図形は、残高金額に応じてバーの本数及び／又は色を変化させたものを用いている。
【００６０】
例えば、０〜４００円の場合はバー無し、４００〜７９９円の場合は赤色の１本、・・・、１６００〜１９９９円の場合は赤色の４本、２０００〜３９９９円の場合は緑色の１本、・・・、８０００〜９９９９円の場合は緑色の４本、１００００〜１９９９９円の場合は青色の１本、・・・、４００００〜４９９９９円の場合は青色の４本、５００００円以上の場合は青色の５本、といった具合に対応付けする。
【００６１】
テーブル管理部２０で図６に示すようなテーブル３６を持たせることで、図７の電子マネー残高金額表示画像３７が、残高が１００００円以上あるときには１本が１００００円を表す青いバーを用いて表示され、２０００円以上１００００円未満のときには１本が２０００円を表す緑色のバーを用いて表示され、２０００円未満のときには１本が４００円を表す赤いバーを用いて表示される。このように、残高に応じてバー１本に割り当てる金額を変更することで、少ない本数で比較的詳細な金額を示すことができる。この例では異なる色のバーで表示したが、バーの形を変えて表示してもよい。また、図７の電子マネー残高金額表示画像３７のように、バー表示した残高情報を他のアイコンといっしょにピクト表示させてもよい。また、図８に示すように、クラムシェル型での携帯端末装置１において、バー表示する残高情報をサブ画面（例えばサブ液晶画面）４０に表示してもよい。
【００６２】
また、ここではバー表示で例示しているが、図形が１又は複数個の同一図形（例えば、「●」や「◆」）で表され、残高金額に応じてその同一図形の個数及び／又は色を変化させたものを用いるようにしてもよい。また、同一図形でなくても、例えば、頭、胴体、右腕、左腕、右足、左足といった人型の部分的な図形などであってもよい。このような１又は複数個の図形で表す場合も、残高金額に応じてその図形の個数及び／又は色を変化させるとよい。
【００６３】
また、電子マネーにはＥｄｙ（登録商標）やＳｕｉｃａ（登録商標）など、複数の種類がある。携帯端末装置１に複数の電子マネーが利用可能に搭載されているときには、それらの残高の合計金額をテーブルで照合し、対応する図形画像を表示させてもよいし、図９の電子マネー残高金額表示画像３７ａ，３７ｂに示すように電子マネーごとに別々に表示してもよい。図９では、電子マネー毎の残高を区別するために異なる形のバーを用いて表示しているが、色で区別してもよく、１又は複数の他の同一図形の個数及び／又は色で区別してもよい。
【００６４】
また、電子マネー毎の残高を区別するために異なる形の同一図形を用いているが、このような図形表示を行うために、電子マネー毎にテーブルを用意しておいてもよい。そして、主制御部１４が、現在の残高金額として、複数の電子マネー情報が示す個々の現在の残高金額を対応図形画像で表示する制御を行うに際し、テーブル管理部２０に格納された個々の電子マネー情報に対応するテーブル（例えばＥｄｙ（登録商標）用テーブルやＳｕｉｃａ（登録商標）用テーブル）を参照して対応図形画像を読み出すようにしておけばよい。例えば、Ｅｄｙ（登録商標）用テーブルでは缶ジュース１本買える１２０円をバー１本で表し、Ｓｕｉｃａ（登録商標）用テーブルでは初乗り料金の１８０円をバー１本で表すといった具合に、電子マネーの種別ごとに異なるテーブルを持たせておくことで、用途に応じた図形表示が可能となる。
【００６５】
また、図９の表示画面３０の表示例で示すように、上述の図形表示手段は、現在の残高金額に対応する図形の画像を、画像表示装置における背景画像として表示出力する手段を有することが好ましい。背景画像としては、例えば携帯電話の待ち受け画面やＰＤＡの壁紙などが該当する。背景画像として表示することで、画面が小さい携帯端末装置であっても、背景であるので大きく表示可能となる。このため、表示部１５及び表示制御部１６で例示した上述の画像表示装置は、背景画像を表示する背景画像表示手段を有するものとする。この背景画像表示手段としては、既存の技術が適用でき、例えば、マークアップ言語で背景の属性を加えておきそれを出力して表示部１５に表示させる方法や、ＯＳＤ（Ｏｎ  Ｓｃｒｅｅｎ  Ｄｉｓｐｌａｙ）表示で背景画像を表示部１５に表示させる方法など、様々な方法を採用できる。
【００６６】
また、携帯端末装置１は、テーブルをユーザ操作に基づき編集するテーブル編集手段を備えることが好ましい。このテーブル編集手段は、操作部１７でのユーザ操作を受け付け、そのユーザ操作に基づき、テーブルの中身の閾値の金額や対応図形画像や対応付けを編集する手段である。ここでは、複数テーブルを備える場合には、編集対象のテーブルを操作部１７で選択させてから、金額や対応図形や対応付けの編集をさせるとよい。このテーブル編集手段は、通常、操作部１７及び主制御部１４内に実行可能に組み込まれＧＵＩ（グラフィカルユーザインターフェース）プログラムなどで構成できる。
【００６７】
ここで、主制御部１４はＧＵＩプログラムを実行し、表示制御部１６を介して表示部１５に編集画面を表示させ、ユーザがその編集画面を見ながら操作部１７で対応付けの変更を行う操作を受け付け、受け付けた操作に基づきテーブル管理部２０のテーブルを書き換えるか追加記録する。なお、編集前にはデフォルトテーブルで図形画像の表示がなされ、編集用に複数の図形アイテムや対応付けテーブルなどが用意されていることが好ましい。これにより、テーブル２で例示したようなテーブル情報は、操作部１７により容易に編集することができる。
【００６８】
上述したテーブル切換処理の他の形態について説明する。
電子マネー情報毎にテーブルを備えた形態を含み、複数のテーブルを備えた形態にあっては、携帯端末装置１に、ユーザ操作に応じて参照するテーブルを切り換える操作対応の切換手段を備えるとよい。
【００６９】
例えば、図１０で示したように携帯電話を閉じた状態で操作を行えるようなボタン（外側操作キー）４１が備えられている場合を想定する。ここで、外側操作キー４１には右キー４１ａ及び左キー４１ｂが含まれる。このような携帯端末装置１を採用した場合には、右キー４１ａ及び／又は左キー４１ｂがユーザによって押下されることで、テーブル間で参照対象のテーブルを切り換えるとよい。テーブルの切り換えにより、残高の図形表示と数字表示を切り換えることができる。例えば、１目盛りでビール１杯で表示するテーブルから、１目盛りで飴玉１個を表示するテーブルへと切り換えることもできる。
【００７０】
また、電子マネー情報毎にテーブルを備えた形態にあっては、ボタンと電子マネー情報とを（例えば右キー４１ａをＥｄｙ（登録商標）用テーブルに、左キー４１ｂをＳｕｉｃａ（登録商標）用テーブルに）対応させておき、キー４１ａ／４１ｂを押すとそれに対応する電子マネーの残高金額の図形を表示するようにしてもよい。図１０の例では、右キー４１ａの押下によりサブ画面４０に電子マネー残高金額表示画像３７ａを示し（図１０左側）、左キー４１ｂの押下によりサブ画面４０に電子マネー残高金額表示画像３７ｂを示す（図１０右側）ように、参照するテーブルを切り換えることで表示する電子マネー残高を切り換えている。このように押されたキーに対応する電子マネーの残金を表示するだけでなく、キー４１ａ／４１ｂをトグル操作することで、電子マネーの残金表示を順次切り換えてもよい。
【００７１】
このように、図形表示手段は、現在の残高金額として、複数の電子マネー情報が示す個々の現在の残高金額のうち、ユーザ操作に基づき選択された電子マネー情報が示す現在の残高金額のみを、対応付けた図形の画像で表示するように切り換えて出力するようにしてもよい。
【００７２】
また、図形表示手段は、現在の残高金額として、使用直後の電子マネー情報が示す現在の残高金額のみを、対応付けた図形の画像で表示するように切り換えて出力する手段を有することが好ましい。この手段は、図形画像表示を現在の残高金額に変更が生じた時点で一定時間のみ実行するとした例において、表示を特に一定時間のみに限らないようにしたものである。例えば、図９のように電子マネー残高金額表示画像３７ａ，３７ｂの２つの画像を表示していた場合や、それらの合計金額を表示していた場合であっても、電子マネー使用直後には、対応する電子マネー残高金額表示画像のみの表示に切り換えるなどすればよい。
【００７３】
この利用シーンとしては、Ｓｕｉｃａ（登録商標）とＥｄｙ（登録商標）の電子マネーを保持する携帯電話において、通常はそれぞれの残高金額を示す図形を待ち受け画面に表示しておき、Ｓｕｉｃａ（登録商標）（ここではモバイルＳｕｉｃａ（登録商標））を改札にかざして通過するような場面が挙げられる。ユーザが改札を通過してモバイルＳｕｉｃａ（登録商標）を利用した後は、テーブル切換により、Ｓｕｉｃａ（登録商標）の残高金額を示す図形のみを表示させるとよい。勿論、一定時間経過後は、再びそれぞれの図形や合計の図形を表示するなどの処理を実行してもよい。
【００７４】
また、上述したが携帯端末装置１の本体で図形表示するのではなく、本体に接続（一時的に接続も含む）された画像表示装置（子機とも言える）に図形表示してもよい。すなわち、本体以外に表示機能を備えた子機があり、携帯電話本体で電子決済したら残高情報を子機に出力するようにしてもよい。この利用シーンとしては、上述の改札通過時が挙げられる。ディスプレイが備わった改札装置があり、モバイルＳｕｉｃａ（登録商標）が搭載された携帯電話をその改札装置にかざして通過すると、携帯電話はＦｅｌｉＣａ（登録商標）等の非接触ＩＣカード技術の機能を利用して改札装置に残高金額に対応する図形情報を出力し、図形情報を受け取った改札装置はディスプレイに図形で表示することにより、ユーザは周囲の人に具体的な残高金額を知られることなく残高金額を確認することができる。
【００７５】
また、上述のごとき参照するテーブルの切り換えは、クラムシェル等の可動部をもつ携帯端末装置１である場合、その可動部の可動状態（可動自体も含む）に応じて実行してもよい。利用シーンとしては、例えば、クラムシェルを閉じているときは１目盛りをビール１杯とするテーブルに設定しているが、クラムシェルを開いたときはテーブル切換により着メロ１曲ダウンロードするのにかかる値段を１目盛りとするテーブルに設定することなどが挙げられる。なお、上述したようにクラムシェル以外のスライド部等の可動部をもつ場合にも適用でき、上述した可動部を可動させる所定の操作に基づき、テーブル切換を実行するようにするとよい。このように、携帯端末装置１では、可動部対応の切換手段を備えてもよい。
【００７６】
また、参照するテーブルの切り換えは、携帯端末装置１に具備した傾きセンサで検出された携帯端末装置１の傾き情報に応じて実行するようにしてもよい。すなわち、携帯端末装置１では、傾き対応の切換手段を備えてもよい。例えば、電子マネーリーダーライター部１２を下に向けた状態で、ほぼ平行にかざしたときにはＳｕｉｃａ（登録商標）用テーブルに、やや斜めにかざしたときにはＥｄｙ（登録商標）用テーブルに、切り換えを実行するなど、様々な利用シーンが想定できる。
【００７７】
（実施形態２）
図１１は、本発明の他の実施形態に係る携帯端末装置の一構成例を示すブロック図で、図中、２１は位置情報取得部、２２は運賃確認部であり、その他、図１で説明したものと同様の構成要素又は一部変更された構成要素には同じ符号を付して、その説明を一部省略している。また、図１２は、図１１の携帯端末装置における電子マネー残高金額の表示処理例を説明するためのフロー図である。なお、ここで説明する実施形態も上述した実施形態と同様の応用が可能である。
【００７８】
図１１で例示する携帯端末装置１は、携帯端末装置全体の制御を行う主制御部１４と、電話や電子メールやインターネットアクセス等における通信を行う通信部１１と、ＰＯＳ端末のような外部端末と電子マネーの受け渡しを行う電子マネーリーダーライター部１２と、電子マネーの残高等を管理する電子マネー管理部１３と、操作時の各種状態や残高情報などを表示する表示部１５と、主制御部１４からの信号に基づき表示部１５を制御する表示制御部１６と、現在端末がある位置情報を取得するＧＰＳ等の位置情報取得部２１と、出発地と目的地の情報を入力するとその運賃を確認する運賃確認部２２と、残高金額と表示する図形画像とを対応付けたテーブルを管理するテーブル管理部２０と、テーブル情報や位置情報として出発地の情報を入力することや目的地情報を入力することなどができる操作部１７とから構成されている。
【００７９】
図１１で例示する携帯端末装置１は、携帯端末装置１の位置情報及び目的地情報に応じて、テーブルを変更する位置対応の変更手段を備えることを主たる特徴とする。この変更手段は、テーブルにおける対応付けの自動編集や複数テーブル間でのテーブル切り換えも含むものとする。この位置対応の変更手段は、通常、主制御部１４内にプログラムとして実行可能に組み込まれる。ここで、主制御部１４は、そのプログラムを実行することで、テーブル管理部２０からテーブルを読み出し、位置情報取得部２１から取得した位置情報及び目的地情報に応じて、運賃確認部２２で運賃を確認して、その確認結果に基づき、読み出したテーブルを変更してテーブル管理部２０に上書き又は追加記録する。
【００８０】
次に、本実施形態における携帯端末装置１の動作の一例を、図１２を参照して説明する。テーブル管理部２０は図２に示すようなテーブルを持ち、本実施形態ではその運賃情報を随時更新することができる構成となっている。
【００８１】
はじめに、操作部１７などにより運賃を計算するときの目的地となるところの位置情報が運賃確認部２２に登録されているものとする。まず、位置情報取得部２１で現在携帯端末装置１のある位置の情報を取得する（ステップＳ１１）。消費電力などのことを考慮し、実際には間欠的に動作させることが考えられる。
【００８２】
位置情報取得部２１の出力情報から主制御部１４が端末の移動を検知したら（ステップＳ１２でＹＥＳ）、運賃確認部２２に最新の位置情報を送る。運賃確認部２２では、位置情報と登録された目的地の位置情報に基づいて、現在位置から目的地まで電車で行くときの運賃、タクシーで行くときの運賃を確認する（ステップＳ１３）。確認方法としては、端末内部に運賃計算テーブルを持っていてもいいし、通信部１１からインターネットに接続して運賃情報を取ってきてもよい。次に、運賃確認部２２で確認した運賃情報をテーブル管理部２０に送り、テーブルの運賃情報を確認する。ここで、テーブルでの対応付けを書き換えておくことで、以降の図形画像表示に用いる現在位置等の位置情報に基づいたテーブルが利用できる。以降、電子マネーの残高を確認して図形画像を表示するまでの動作は、実施形態１のステップＳ５〜Ｓ７と同様である（ステップＳ１５〜Ｓ１７）。
【００８３】
一方、位置情報取得部２１の出力情報から主制御部１４が端末の移動を検知しなかったとき（ステップＳ１２でＮＯ）、電子マネー管理部１３は残高に変化があったかを検知する（ステップＳ１８）。以降の動作は実施形態１と同様に、残高確認（ステップＳ１９）、残高の照合（ステップＳ２０）、及び対応図形画像の表示（ステップＳ２１）を実行する。
【００８４】
この実施形態では、自分のいる場所などに応じてダイナミックにテーブルを更新することができるため、単なる金額を示すものではなく現在位置から家に帰るための運賃などの意味を持ったものを表示することができる。すなわち、携帯端末装置１の位置情報と目的地情報に応じたテーブル変更により、今の所持残高では目的地まで行くのにどの交通手段を利用できるかという図形で表示する。
【００８５】
また、上述の位置対応の変更手段は、単に、携帯端末装置１の位置情報（現在位置情報）と目的地情報に応じた変更に限ったものではなく、位置情報に応じてテーブルを変更する手段であればよい。テーブル変更に寄与する位置情報としては、携帯端末装置１の位置情報及び目的地情報の他に、携帯端末装置１の位置情報（現在位置情報）のみ、目的地の位置情報のみ、他の機器の位置情報などが挙げられる。
【００８６】
例えば、友達に会うことを想定すると、通信部１１を利用して友達の所持する携帯端末装置１の位置情報を取得し、その位置情報と予め登録している自分の自宅の位置情報から、今の所持残高で友達に会うためにはどの交通手段を利用できるかというものを図形で示してもいい。また、携帯端末装置１が備えるＧＰＳにより居酒屋にいるということを検知したときは、テーブル切換又はテーブル編集により、バー表示としてジョッキの図形を用いて１目盛りをビール１杯の値段とするテーブルに設定し、駄菓子屋にいるときは飴玉の図形で飴玉１個の値段を１目盛りとするテーブルに設定する。このことにより、所持金でビール何杯飲めるのか、飴玉何個買えるのかということが一目でわかる。例えば、残金が飴玉を１００個分に相当するとしたとき、小さなディスプレイで１００個を表示するのは困難であるため、飴玉マーク×１００というような表示でもかまわない。
【００８７】
（実施形態３）
図１３は、本発明の他の実施形態に係る携帯端末装置の一構成例を示すブロック図、図１４は、図１３の携帯端末装置のテーブル管理部に格納された残高金額と図形画像が対応付けられたテーブルの一例を示す図、図１５は、図１３の携帯端末装置における電子マネー残高金額の表示処理例を説明するためのフロー図である。図１３及び図１４において、２３は日時情報取得部、３８はテーブル、３８ａ，３８ｂ，３８ｃはこのテーブル３８を参照することで表示される電子マネー残高金額表示画像であり、その他、図１で説明したものと同様の構成要素又は一部変更された構成要素には同じ符号を付して、その説明を一部省略している。なお、ここで説明する実施形態も上述した実施形態と同様の応用が可能である。
【００８８】
図１３で例示する携帯端末装置１は、携帯端末装置全体の制御を行う主制御部１４と、電話や電子メールやインターネットアクセス等における通信を行う通信部１１と、ＰＯＳ端末のような外部端末と電子マネーの受け渡しを行う電子マネーリーダーライター部１２と、電子マネーの残高等を管理する電子マネー管理部１３と、操作時の各種状態や残高情報などを表示する表示部１５と、主制御部１４からの信号に基づき表示部１５を制御する表示制御部１６と、現在の日時（日付及び／又は時間）を取得する日時情報取得部２３と、残高金額と表示する図形画像とを対応付けたテーブルを管理するテーブル管理部２０と、テーブル情報などを入力することができる操作部１７とから構成されている。
【００８９】
図１３で例示する携帯端末装置１は、携帯端末装置１の日時情報に応じて、テーブルを変更する日時対応の変更手段を備えることを主たる特徴とする。この変更手段は、テーブルにおける対応付けの自動編集や複数テーブル間でのテーブル切り換えも含むものとする。この日時対応の変更手段は、通常、主制御部１４内にプログラムとして実行可能に組み込まれる。ここで、主制御部１４は、そのプログラムを実行することで、テーブル管理部２０からテーブルを読み出し、日時情報取得部２３から取得した日時情報に応じて、読み出したテーブルを変更して、テーブル管理部２０に上書き又は追加記録する。
【００９０】
次に、本実施形態における携帯端末装置１の動作の一例を、図１４及び図１５を参照して説明する。テーブル管理部２０は図１４に示すようなテーブル３８を持っている。これは、１ヶ月の目標支出額が３００００円で、月末が締め日となっているときの例である。尚、１ヶ月は３０日であるとしている。月初めに３００００円がチャージされるとして、１日あたり１０００円使用できるので、１日が終わった時点では２９０００円以上あれば「順調」を示す図形画像（電子マネー残高金額表示画像３８ａ）を表示する。その日の目標残高に対して使い込み金額が１０００円以下であれば「注意」を示す図形画像（電子マネー残高金額表示画像３８ｂ）を表示し、１０００円以上であれば「警告」を示す図形画像（電子マネー残高金額表示画像３８ｃ）を表示する。このテーブルは管理期間（図１４では３０日）と目標支出額（図１４では３００００円）などを操作部１７から入力することにより自動で生成されテーブル管理部２０に保存されている。
【００９１】
このようなテーブル３８をテーブル管理部２０に格納しておき、まず、日時情報取得部２３により現在の日時の情報を取得する（ステップＳ３１）。日時情報取得部２３の出力情報から主制御部１４が日付が変わったことを検知したら（ステップＳ３２でＹＥＳ）、電子マネー管理部１３は電子マネーの残高を確認する（ステップＳ３３）。テーブル管理部２０は、日時情報取得部２３からの日時情報と、電子マネー管理部１３からの電子マネーの残高情報をテーブルに照合して（ステップＳ３４）、対応する図形画像を表示制御部１６に出力し、以降、実施形態１と同様に表示部１５にその対応図形画像を表示し（ステップＳ３５）、ステップＳ３１に戻る。
【００９２】
主制御部１４が日付がかわったことを検知しなかったとき（ステップＳ３２でＮＯ）、電子マネー管理部１３は電子マネーの残高に変化があったかを検知する（ステップＳ３３）。以降の動作は実施形態１と同様に、残高確認（ステップＳ３７）、残高の照合（ステップＳ３８）、及び対応図形画像の表示（ステップＳ３９）を実行する。但し、ステップＳ３８では日付と残高をテーブルと照合する。
【００９３】
また、テーブル変更に寄与する日時情報としては、単に時刻情報であってもよい。例えば、携帯端末装置１本体の時刻情報や通信部１１を介して取得した時刻情報などから、朝は出勤時に駅の売店で買う可能性のある缶ジュース１本の値段をバー１本に割り当てて表示し、夕方は居酒屋で飲む可能性のあるビール１杯の値段をバー１本に割り当てて表示するなどの処理が可能となる。
【００９４】
この実施形態では、自分の使用可能金額に基づく使用ペースに応じてダイナミックにテーブルを更新することができるため、単なる金額を示すものではなく使いすぎや余裕があるなどといった意味を持ったものを表示することができる。
【図面の簡単な説明】
【００９５】
【図１】本発明の一実施形態に係る携帯端末装置の一構成例を示すブロック図である。
【図２】図１の携帯端末装置のテーブル管理部に格納された残高金額と図形画像が対応付けられたテーブルの一例を示す図である。
【図３】図１の携帯端末装置における電子マネー残高金額の表示処理例を説明するためのフロー図である。
【図４】図１の携帯端末装置に図２のテーブルを用いて電子マネー残高金額を表示した例を示す図である。
【図５】図４の電子マネー残高金額の表示位置に電子マネーがロックされていることを示した例を示す図である。
【図６】図１の携帯端末装置のテーブル管理部に格納された残高金額と図形画像が対応付けられたテーブルの他の例を示す図である。
【図７】図１の携帯端末装置に図６のテーブルを用いて電子マネー残高金額を表示した例を示す図である。
【図８】図１の携帯端末装置に図６のテーブルを用いて電子マネー残高金額を表示した他の例を示す図である。
【図９】図１の携帯端末装置に図６のテーブルを用いて電子マネー残高金額を表示した他の例を示す図である。
【図１０】図１の携帯端末装置に図６のテーブルを用いて電子マネー残高金額を表示した他の例を示す図である。
【図１１】本発明の他の実施形態に係る携帯端末装置の一構成例を示すブロック図である。
【図１２】図１１の携帯端末装置における電子マネー残高金額の表示処理例を説明するためのフロー図である。
【図１３】本発明の他の実施形態に係る携帯端末装置の一構成例を示すブロック図である。
【図１４】図１３の携帯端末装置のテーブル管理部に格納された残高金額と図形画像が対応付けられたテーブルの一例を示す図である。
【図１５】図１３の携帯端末装置における電子マネー残高金額の表示処理例を説明するためのフロー図である。
【符号の説明】
【００９６】
１…携帯端末装置、２，３６，３８…テーブル、１１…通信部、１２…電子マネーリーダーライター部、１３…電子マネー管理部、１４…主制御部、１５…表示部、１６…表示制御部、１７…操作部、１８…タイマ、１９…筐体開閉検知部、２０…テーブル管理部、２１…位置情報取得部、２２…運賃確認部、２３…日時情報取得部、３０…表示画面、３１…バッテリ残量表示画像、３２…電波強度表示画像、３３…時刻情報表示画像、３４，３７，３７ａ，３７ｂ，３８ａ，３８ｂ，３８ｃ…電子マネー残高金額表示画像、３５…電子マネーロック表示画像、４０…サブ画面、４１…外側操作キー、４１ａ…右キー、４１ｂ…左キー。
【図１】
2007172576.tif 000003
【図２】
2007172576.tif 000004
【図３】
2007172576.tif 000005
【図４】
2007172576.tif 000006
【図５】
2007172576.tif 000007
【図６】
2007172576.tif 000008
【図７】
2007172576.tif 000009
【図８】
2007172576.tif 000010
【図９】
2007172576.tif 000011
【図１０】
2007172576.tif 000012
【図１１】
2007172576.tif 000013
【図１２】
2007172576.tif 000014
【図１３】
2007172576.tif 000015
【図１４】
2007172576.tif 000016
【図１５】
2007172576.tif 000017